(57)【要約】      （修正有）【課題】製品コストの削減を図ることができるバックライトユニットを提供する。【解決手段】複数ライトバー５は、表示体の大きさに応じて間隔寸法Ｔ１の間隔をあけて配設されている。また、光照射面の第２光照射面１２ｂは、第１光照射面１２ａに対して所定の傾斜角度をもって配設されているので、導光板１０の内部に照射された光を広い角度で表示体に照射することができる。よって、光照射面の照射範囲６ｃが拡大されて表示体に明るさのムラを生じにくくすることができる。そのため、表示体の大きさが変わってもライトバー５の配設位置と配設数を調整することで大きさの異なる表示体に対応することができる。その結果、表示体の大きさが変更されるたびにライトバー５の設計を変更する必要がなく、ライトバー５の設計の手間を省いて、バックライトユニットの製品コストの削減を図ることができる。【選択図】図４
2009187838.tif 000002
【特許請求の範囲】
【請求項１】
表示体に光を照射する光照射面と、その光照射面へ向けて光を反射する光反射面とを両面に有する導光板と、
その導光板の側面に配設されると共に、その側面へ向けて光を照射する発光体とを備えるライトバーを複数有し、
それら複数のライトバーが互いに間隔をあけて配設されることを特徴とするバックライトユニット。
【請求項２】
前記導光板の側面であって前記発光体が配設される側面の断面形状は、前記光照射面側に向かって先細りとなる形状に構成されていることを特徴とする請求項１記載のバックライトユニット。
【請求項３】
前記複数のライトバーの長手方向が同一方向にそろえられた複数のライトバーにより構成され、１のライトバーの長手方向の端部に他のライトバーの長手方向の端部を連結することにより、前記長手方向に延設されるライトバー列を備え、
前記ライトバー列において、前記ライトバーは、互いに隣り合うライトバーの端部を電気的に接続するためのコネクタを備えていることを特徴とする請求項２記載のバックライトユニット。
【請求項４】
前記発光体は、
前記導光板の相対向する両側面の一方に配設される第１発光体と、
前記導光板の他方の側面に配設される第２発光体とを備え、
前記ライトバーは、
前記第１発光体側から第２発光体側へ電力を供給する電力供給線を備え、
その電力供給線が前記導光板の前記光反射面側に配設されることを特徴とする請求項１から３のいずれかに記載のバックライトユニット。
【請求項５】
表示体に光を照射する光照射面と、その光照射面へ向けて光を反射する光反射面とを両面に有する導光板と、
その導光板の側面に配設されると共に、その側面へ向けて光を照射する発光体とを備え、
前記導光板の側面であって前記発光体が配設される側面の断面形状は、前記光照射面側に向かって先細りとなる形状に構成されていることを特徴とするライトバー。
【発明の詳細な説明】
【技術分野】
【０００１】
本発明は、バックライトユニットに関し、特に、製品コストの削減を図ることができるバックライトユニットに関するものである。
【背景技術】
【０００２】
一般に、バックライトユニットは、写真フィルム等の表示体に光を照射して広告や照明等の用途に用いられるものである。従来のバックライトユニットは、光を所定方向に導くための導光板と、その導光板の厚み方向の一端面に配設される発光体とを備えて構成されるものであり、導光板の厚み方向他端面側に配設される表示体に光を照射する。
【０００３】
上述したバックライトユニットは、導光板の厚さ方向に発光体を備えているので、厚さ方向の寸法が嵩むという不具合があった。そこで、特開２００５−３１５６２９号公報には、発光体を導光板の側方に配設することで厚さ方向の寸法を小さくすることができるバックライトユニットに関する技術が記載されている（特許文献１）。
【特許文献１】特開２００５−３１５６２９号公報
【発明の開示】
【発明が解決しようとする課題】
【０００４】
しかしながら、特開２００５−３１５６２９号公報記載の技術では、表示体の大きさに対応した導光板を使用するため、表示体の大きさが変わる毎に導光板の設計を見直す必要があり、その分、バックライトユニットの設計に手間が掛かっていた。そのため、バックライトユニットの製造コストが嵩み、製品コストが嵩むという問題点があった。
【０００５】
本発明は、上述した問題点を解決するためになされたものであり、製品コストの削減を図ることができるバックライトユニットを提供することを目的としている。
【課題を解決するための手段】
【０００６】
この目的を達成するために請求項１記載のバックライトユニットは、表示体に光を照射する光照射面と、その光照射面へ向けて光を反射する光反射面とを両面に有する導光板と、その導光板の側面に配設されると共に、その側面へ向けて光を照射する発光体とを備えるライトバーを複数有し、それら複数のライトバーが互いに間隔をあけて配設される。
【０００７】
請求項２記載のバックライトユニットは、請求項１記載のバックライトユニットにおいて、前記導光板の側面であって前記発光体が配設される側面の断面形状は、前記光照射面側に向かって先細りとなる形状に構成されている。
【０００８】
請求項３記載のバックライトユニットは、請求項２記載のバックライトユニットにおいて、前記複数のライトバーの長手方向が同一方向にそろえられた複数のライトバーにより構成され、１のライトバーの長手方向の端部に他のライトバーの長手方向の端部を連結することにより、前記長手方向に延設されるライトバー列を備え、前記ライトバー列において、前記ライトバーは、互いに隣り合うライトバーの端部を電気的に接続するためのコネクタを備えている。
【０００９】
請求項４記載のバックライトユニットは、請求項１から３のいずれかに記載のバックライトユニットにおいて、前記発光体は、前記導光板の相対向する両側面の一方に配設される第１発光体と、前記導光板の他方の側面に配設される第２発光体とを備えるものであり、前記ライトバーは、前記第１発光体側から第２発光体側へ電力を供給する電力供給線を備えるものであり、その電力供給線が前記導光板の前記光反射面側に配設される。
【００１０】
請求項５記載のバックライトユニットは、表示体に光を照射する光照射面と、その光照射面へ向けて光を反射する光反射面とを両面に有する導光板と、その導光板の側面に配設されると共に、その側面へ向けて光を照射する発光体とを備え、前記導光板の側面であって前記発光体が配設される側面の断面形状は、前記光照射面側に向かって先細りとなる形状に構成されている。
【発明の効果】
【００１１】
請求項１記載のバックライトユニットによれば、発光体からの光が導光板の側面を照射し、その照射された光を光反射面が光照射面に向けて反射し、その反射された光を光照射面から表示体に照射する複数のライトバーを有しており、それら複数のライトバーは、互いに間隔をあけて配設されている。したがって、導光板を表示体の全面に対向させる場合に比較して軽量化することができる。
【００１２】
また、表示体の大きさに応じてそれら複数のライトバーの数または配設間隔を調整することで、表示体全体に発光体からの光を照射することができる。即ち、ライトバーの導光板の設計を見直すことなく、さまざまな大きさの表示体に対応することができる。よって、導光板の設計の手間を省いて、バックライトユニットの製造コストの削減を図ることができる。その結果、バックライトユニットの製品コストの削減を図ることができるという効果がある。
【００１３】
請求項２記載のバックライトユニットによれば、請求項１記載のバックライトユニットの奏する効果に加え、導光板の側面であって発光体が配設される側面の断面形状が光照射面側に向かって先細りとなる形状に構成されているので、表示体に対して平行に進んでいた光を表示体側に屈折させることができる。よって、表示体に発光体からの光を集め、各ライトバーの光の照射範囲を拡大することができるので、各ライトバーの配設間隔をあけても表示体に明るさのムラが生じにくく、使用するライトバーの数を削減することができる。その結果、ライトバーの数を削減した分、バックライトユニットの消費電力の削減を図ることができると共に製品コストの削減を図ることができるという効果がある。
【００１４】
また、各ライトバーの光の照射範囲を拡大することができるので、各ライトバーの配設間隔をあけても表示体に明るさのムラが生じにくい。そのため、表示体へ導光板をさらに近づけることが可能となり、バックライトユニットを薄型化することができるという効果がある。
【００１５】
請求項３記載のバックライトユニットによれば、請求項２記載のバックライトユニットの奏する効果に加え、ライトバー列は、複数のライトバーの長手方向が同一方向にそろえられた複数のライトバーにより構成されており、１のライトバーの長手方向の端部に他のライトバーの長手方向の端部を連結することにより、ライトバー列を長手方向に延設することができる。そして、そのライトバー列を構成するライトバーは、互いに隣り合うライトバーの端部を電気的に接続するためのコネクタを備えているので、１のライトバーのコネクタを、他のライトバーのコネクタに接続することで電気的接続を保ちながらライトバーを長手方向に延設することができるという効果がある。
【００１６】
また、ライトバーを長手方向に延設するために１のライトバーのコネクタを、他のライトバーのコネクタに接続することで、複数のライトバーの電気的な接続を完了させることができる。その結果、バックライトユニットの施工の手間を省くことができるので、施工コストの削減を図ることができるという効果がある。
【００１７】
請求項４記載のバックライトユニットによれば、請求項１から３のいずれかに記載のバックライトユニットの奏する効果に加え、第１発光体は、導光板の相対向する両側面の一方に配設され、第２発光体は、導光板の他方の側面に配設され、第１発光体側から第２発光体側へ電力を供給する電力供給線が導光板の光反射面側に配設されているので、電力供給線が導光板から表示体への光を遮ることを防止して表示体に電力供給線の影ができることを防止することができるという効果がある。
【００１８】
請求項５記載のライトバーによれば、発光体からの光が導光板の側面を照射し、その照射された光を光反射面が光照射面に向けて反射し、その反射された光を光照射面から表示体に照射する。そして導光板の側面であって発光体が配設される側面の断面形状が光照射面側に向かって先細りとなる形状に構成されているので、表示体に対して平行に進んでいた光を表示体側に屈折させることができる。
【００１９】
よって、表示体に発光体からの光を集め、ライトバーの光の照射範囲を拡大することができるので、ライトバーの電力効率を向上させると共に表示体に明るさのムラが生じにくい。そのため、表示体へ導光板をさらに近づけることが可能となり、近づけることで表示体の明るさが向上される分、使用するライトバーの発光体の明るさを低減することができる。その結果、ライトバーに使用される発光体の消費電力を減らすことができるので、ライトバーの電力効率を向上させることができるという効果がある。
【発明を実施するための最良の形態】
【００２０】
以下、本発明の好ましい実施の形態について添付図面を参照して説明する。図１は、本発明の第１実施の形態におけるバックライトユニット１が組み込まれた照明ボックス１００の分解斜視図である。なお、図１の矢印Ｘ，Ｙ，Ｚは、照明ボックス１００の長手方向、その照明ボックス１００の長手方向に直交する方向、照明ボックス１００の前後方向をそれぞれ示している。
【００２１】
図１に示すように、照明ボックス１００は、写真フィルム等の表示体２に光を照射して広告や照明等の用途に用いるためのものであり、表示体２に光を照射するバックライトユニット１と、そのバックライトユニット１が収容される箱状に構成された枠体３と、その枠体３にビスＮ１とビスＮ２との螺合によって固定される正面視（図１矢印Ｚ方向視）矩形に構成された正面板４とを主に備えて構成されている。
【００２２】
バックライトユニット１は、枠体３の底面３ａ上に配設されると共に表示体２へ光を照射する複数（本実施の形態では６個）のライトバー５を備えている。それら複数のライトバー５は、それぞれが棒状に構成されており、ライトバー５の長手方向（図１矢印Ｙ方向）を照明ボックス１００の長手方向に直交する方向に一致させた状態で、照明ボックス１００の長手方向（図１矢印Ｘ方向）に沿ってそれぞれ等間隔に間隔をあけて配設されている。
【００２３】
したがって、従来のように、光を照射する導光板を表示体２の全面に対向させる場合に比較して、ライトバー５が間隔をあけて配設される分、照明ボックス１００を軽量化することができる。
【００２４】
また、底面３ａには、貫通孔３ｂが貫通形成されており、その貫通孔３ｂには、各ライトバー５を電気的に連結するハーネス（図示せず）が挿通されている。よって、ハーネスを照明ボックス１００の正面（図１矢印Ｚ方向）から見えないようにして照明ボックス１００の外部に引き出すことができる。
【００２５】
図１に示すように、正面板４は、表示板６と、その表示板６にビスＮ３によって螺号されることで表示体２を狭持固定する押さえ板７とを備えている。
【００２６】
表示板６は、照明ボックス１００の外観を整えるためのものであり、アクリル樹脂、ガラス又はポリカーボネイト等から構成されると共に表示体２に対応して配置される光透過性の窓部６ａと、その窓部６ａの周縁に配置される外枠部６ｂとを主に備えている。
【００２７】
窓部６ａは、透明に構成される部位である。よって、押さえ板７により表示板６に固定された表示体２を照明ボックス１００の正面視（図１矢印Ｚ方向で図１上側から下側方向視）にて可視できる。
【００２８】
また、外枠部６ｂは、光を遮断する有色材料から構成される部位である。よって、枠体３の外縁を正面視（図１矢印Ｚ方向で図１上側から下側方向視）にて覆い隠すことができる。
【００２９】
図１に示すように、押さえ板７は、表示体２を表示板６に固定する部材であり、アクリル樹脂、ガラス又はポリカーボネイト等から透明に構成されている。よって、複数（本実施の形態では６個）のライトバー５から照射される光を表示体２に対して透過させることができる。よって、表示体２を表示板６の窓部６ａから明るく表示させることができる。
【００３０】
次いで、図２（ａ）から図２（ｃ）及び図３（ａ）から図３（ｃ）を参照して、ライトバー５の詳細構成について説明する。図２（ａ）は、ライトバー５の上面図であり、図２（ｂ）は、ライトバー５の側面図であり、図２（ｃ）は、図２（ａ）のＩＩｃ−ＩＩｃ線におけるライトバー５の断面図である。また、図３（ａ）、図３（ｂ）及び図３（ｃ）は、導光板１０、基体部２０及びエンド部３０の斜視図である。
【００３１】
なお、図２（ａ）から図２（ｃ）及び図３（ａ）から図３（ｃ）に示す矢印Ｙ，Ｘ，Ｚは、ライトバー５の長手方向、ライトバー５の長手方向に直交する方向、ライトバー５の前後方向をそれぞれ示している。また、Ｖ字溝１３ａとＶ字溝１３ｂとの配設数や、配設位置は、導光板１０の形状大きさによって変更されるものであり、理解を容易とするために便宜的に簡略化して図示している。また、理解を容易とするために、図２（ａ）及び図２（ｂ）に示すエンド部３０の内部形状の図示を省略し、図２（ｂ）では、電力供給線９の図示を省略している。
【００３２】
図２（ａ）及び図２（ｂ）に示すように、ライトバー５は、発光体８と、電力供給線９と、導光板１０と、基体部２０と、エンド部３０とを主に備えている。
【００３３】
図２（ａ）及び図２（ｂ）に示すように、発光体８は、電力が供給されると発光する部品であり、発光ダイオードにて構成され、導光板１０の長手方向両端（図２（ａ）及び図２（ｂ）矢印Ｙ方向両端）にそれぞれ１個ずつの計２個が配設されている。
【００３４】
図２（ａ）に示すように、電力供給線９は、照明ボックス１００（図１参照）の外部に配設される電源Ｐからの電力を２個の発光体８に供給する部品であり、ビニール被覆にて被覆された銅線にて構成される。また、電力供給線９は、後述するエンド部３０の側面に形成される貫通孔に挿通され枠体３に配設されたハーネス（図示せず）に接続される。よって、ハーネスに電源Ｐを接続することで、図１に示すように配設された複数のライトバー５に電力が供給される。
【００３５】
図２（ａ）及び図２（ｂ）に示すように、導光板１０は、アクリル樹脂、ガラス又はポリカーボネイト等から構成される棒状の部材である。また、導光板１０は、導光板１０の長手方向両端面であり発光体８からの光が照射される一対の側面１１と、表示体２（図１参照）に光を照射する光照射面１２と、側面１１から照射された光を光照射面１２へ反射する光反射面１３とを主に備えている。
【００３６】
図３（ａ）に示すように、側面１１は、台形形状に形成された面であり、その外縁から光照射面１２と、光反射面１３とが連成されている。
【００３７】
光照射面１２は、図３（ａ）に示すように、平坦面として構成され側面１１の上辺１１ａに連成される第１光照射面１２ａと、平坦面として構成され側面１１の一対の傾斜辺１１ｂに連成される第２光照射面１２ｂとを備えている。ここで、一対の第２光照射面１２ｂは、第１光照射面１２ａに対して所定の傾斜角度をもって配設されている。このように、第２光照射面１２ｂが第１光照射面１２ａに対して傾斜角度をもっていることで、表示体２に照射される光のムラを低減することができる。詳細に関しては、図４を参照して後述する。
【００３８】
光反射面１３は、図３（ａ）に示すように、第１光照射面１２ａの反対側の面であって側面１１に連成される。その光反射面１３には、ライトバー５の長手方向（図３（ａ）矢印Ｙ方向）に沿って延設される断面Ｖ字形状のＶ字溝１３ａと、ライトバー５の長手方向に直交する方向（図３（ａ）矢印Ｘ方向）に沿って延設される断面Ｖ字形状のＶ字溝１３ｂとが複数凹設されている。発光体８から照射される光は、側面１１から導光板１０の内部に取り込まれ、その光の一部がＶ字溝１３ａ，１３ｂにより変化して第１光照射面１２ａ、第２光照射面１２ｂから表示体２に向けて照射される。
【００３９】
また、図２（ｃ）に示すように、光反射面１３には、不透明の薄膜状のフィルムで構成され光を反射する反射部材１４が覆設されている。よって、光反射面１３における光の反射効率を向上させることができる。
【００４０】
図２（ａ）、図２（ｂ）及び図３（ｂ）に示すように、基体部２０は、アルミ材料を押し出し成型することにより構成された略棒状の部材であり、延設部２１と、その延設部２１の両端部から延設される押さえ部２２とを備えている。この基体部２０は、アルミ材料にて構成されているので放熱性に優れている部材である。そのため、光を照射することで発熱する発光体８と発光体８から照射された光で発熱される導光板１０とが基体部２０に取着されることで、発光体８と導光板１０との熱を吸収して効率よく放出することができる。よって、発光体８の熱による破損と、導光板１０の熱による変形を防いで、ライトバー５の耐久性を向上させることができる。
【００４１】
延設部２１は、長方形の平板形状に構成される底面２１ａと、その底面２１ａの外縁であってライトバー５の長手方向に直交する方向（図２（ａ）および図３（ａ）矢印Ｘ方向）の両外縁からライトバー５の前後方向の一方方向（図３（ｂ）矢印Ｚ方向上）に向けてそれぞれ立設される一対の壁部２１ｂとを備えている。即ち、延設部２１は、断面コの字形状に構成されその開口部がライトバー５の前後方向の一方方向（図３（ｂ）矢印Ｚ方向上）に向けて開口される。
【００４２】
また、図３（ｂ）に示すように、底面２１ａには、一対の貫通孔２１ｄが貫通形成されている。その貫通孔２１ｄにビス（図示せず）を挿通して、そのビスを導光板１０に螺合させることで、導光板１０を基体部２０に締結することができる。
【００４３】
図２（ａ）及び図３（ｂ）に示すように、押さえ部２２は、ライトバー５の長手方向（図２（ａ）および図３（ａ）矢印Ｙ方向）に沿った延設部２１の両端から延設される平板を断面コの字形状に折り曲げて形成される部位であり、略コの字形状の開口部をそれぞれ対向させて配設されている。
【００４４】
図３（ｃ）に示すように、エンド部３０は、プラスチック樹脂等から構成される中空の部材であり、ライトバー５の両端部にそれぞれ取着されている。また、エンド部３０の一端側は、一体とされた導光板１０と基体部２０とが挿入される開口部３１が形成されており、他端側は、ライトバー５を枠体３の底面３ａ（図１参照）に取り付けるためのボルト（図示せず）が挿通される貫通孔３２が貫通形成されている。
【００４５】
開口部３１は、ライトバー５の長手方向視（図２（ａ）および図３（ｃ）矢印Ｙ方向）の断面形状が導光板１０と基体部２０とを組み合わせた状態での同方向からの断面形状に対応した形状に構成されている。よって、導光板１０と基体部２０とをエンド部３０に嵌合することができる。
【００４６】
エンド部３０の内部には、一対の位置決め壁部３３が凸設され、それら一対の位置決め壁部３３は、ライトバー５の長手方向に直交する方向（図２（ａ）および図３（ａ）矢印Ｘ方向）に沿った方向に配設されている。
【００４７】
次に、各部材の寸法について、図２（ａ）から図２（ｃ）、図３（ａ）及び図３（ｂ）を参照して説明する。
【００４８】
また、図２（ａ）及び図３（ａ）に示すように、幅寸法Ｗ１０は、ライトバー５の長手方向に直交する方向（図２（ａ）および図３（ａ）矢印Ｘ方向）に沿った光反射面１３の寸法値であり、高さ寸法Ｈ１０は、ライトバー５の前後方向（図２（ａ）および図３（ａ）矢印Ｚ方向）に沿った光反射面１３の寸法値であり、長さ寸法Ｌ１０は、ライトバー５の長手方向（図２（ａ）および図３（ａ）矢印Ｙ方向）に沿った光反射面１３の寸法値である。
【００４９】
また、図２（ａ）及び図３（ｂ）に示すように、幅寸法Ｗ２０は、ライトバー５の長手方向に直交する方向（図２（ａ）および図３（ｂ）矢印Ｘ方向）に沿った方向の延設部２１の略コの字形状内側の寸法値であり、前述した幅寸法Ｗ１０より小さな寸法値に設定されている。よって、導光板１０を基体部２０上に配設すると導光板１０の光反射面１３は、壁部２１ｂに当接される。その結果、導光板１０の光反射面１３と基体部２０の底面２１ａとの間には、隙間が形成される。この隙間に電力供給線９が配設される。
【００５０】
このように、反射部材１４の底面２１ａ側（図２（ｃ）右側）には電力供給線９が配設されているので、導光板１０から表示体２（図１参照）側（図２（ｃ）左側）への光を電力供給線９が遮ることを防止して表示体２に電力供給線９の影ができることを防止することができる。
【００５１】
また、図２（ｃ）に示すように、電力供給線９の直径寸法値が底面２１ａと反射部材１４とのライトバー５の前後方向（図２（ｃ）矢印Ｚ方向）の寸法値である隙間寸法Ｔとほぼ同等の寸法値に設定されている。したがって、電力供給線９の形状復元力によって、反射部材１４を導光板１０側へ付勢して固定することができる。よって、反射部材１４を固定するための部材を省略することができるので、ライトバー５の製品コストを削減することができる。
【００５２】
また、隙間寸法Ｈ２０は、ライトバー５の前後方向（図２（ｂ）矢印Ｚ方向）に沿った隙間寸法であり、壁部２１ｂの端面２１ｃと押さえ部２２の押さえ面２２ａとの寸法値を示している。その隙間寸法Ｈ２０は、押さえ部２２が弾性変形可能な寸法値分だけ前述した高さ寸法Ｈ１０より小さな寸法値とされている。よって、図２（ｂ）に示すように、押さえ部２２の断面コの字形状の内側に導光板１０の端部を挿入すると導光板１０を押さえ部２２の弾性復元力により固定することができる。
【００５３】
また、図２（ａ）及び図３（ｂ）に示すように、幅寸法Ｗ２２は、押さえ部２２のライトバー５の長手方向に直交する方向（図２（ａ）および図３（ｂ）矢印Ｘ方向）に沿った方向の押さえ部２２の寸法値であり、前述した幅寸法Ｗ２０より小さな寸法値に設定されている。よって、幅寸法Ｗ２０より幅寸法Ｗ２２が小さい分、ライトバー５の長手方向（図２（ａ）および図３（ａ）矢印Ｙ方向）に沿った方向の延設部２１の両端部に端面２１ｃがそれぞれ形成される。
【００５４】
図２（ａ）及び図３（ｂ）に示すように、長さ寸法Ｌ２０は、ライトバー５の長手方向（図２（ａ）および図３（ｂ）矢印Ｙ方向）に沿った延設部２１の一対の端面２１ｃ間の寸法値であり、前述した長さ寸法Ｌ１０より大きな寸法値に設定されている。
【００５５】
そのため、長手方向をそろえて導光板１０を基体部２０上に配設すると延設部２１の端面２１ｃを導光板１０の端部である側面１１よりも突出させることができる。よって、一体とされた導光板１０と基体部２０とをエンド部３０に挿入する際に、エンド部３０の位置決め壁部３３（図３（ｃ）参照）が延設部２１の端面２１ｃに当接される。その結果、導光板１０が位置決め壁部３３に当接されず導光板１０を圧縮する力が掛からないので、導光板１０の歪みを防止して表示体２に光の明るさのムラを生じにくくすることができる。
【００５６】
また、それら一対の位置決め壁部３３の間隔は、幅寸法Ｗ２２より大きな寸法値に設定されているので、一体とされた導光板１０と基体部２０とにエンド部３０を挿入すると、一対の位置決め壁部３３の間に押さえ部２２が挿通されて、位置決め壁部３３に端面２１ｃが当接される。よって、一体とされた導光板１０及び基体部２０にエンド部３０が挿入される深さが決まるので、ライトバー５の組み立てを容易として、ライトバー５の製造コストを削減することができる。その結果、ライトバー５の製品コストの削減を図ることができる。
【００５７】
次に、図４を参照して、照明ボックス１００の光の照射範囲について説明する。図４（ａ）は、照明ボックス１００の正面図であり、図４（ｂ）は、図４（ａ）のＩＶ−ＩＶ線における照明ボックス１００の部分断面図である。なお、理解を容易とするために、図４（ａ）では、ライトバー５の光の照射範囲６ｃを２点鎖線で示し、ライトバー５の外形を破線にて模式的に示している。また、図４（ｂ）では、光照射面１２から照射される光の方向を矢印にて示している。また、図４（ａ）及び図４（ｂ）に示す矢印Ｙ，Ｘ，Ｚは、ライトバー５の長手方向、ライトバー５の長手方向に直交する方向、ライトバー５の前後方向をそれぞれ示している。
【００５８】
図４（ａ）及び図４（ｂ）に示すように、複数（本実施の形態では６個、図４（ａ）及び図４（ｂ）では、その内の３個を示している。）ライトバー５は、ライトバー５の長手方向に直交する方向（図４（ａ）矢印Ｘ方向）に沿って間隔寸法Ｔ１の間隔をあけると共に導光板１０の光反射面１３を底面３ａ側として底面３ａの上（図４（ｂ）上）に配設されている。よって、光反射面１３に対向して配設される光照射面１２から表示体２側に光が照射される。
【００５９】
上述したように、光照射面１２の第１光照射面１２ａは表示体２に対向して配設されているので、導光板１０の内部に照射された光で表示体２側に向かう光が第１光照射面１２ａから照射される。
【００６０】
また、図４（ｂ）に示すように、光照射面１２の第２光照射面１２ｂは、第１光照射面１２ａに対して所定の傾斜角度をもって配設されているので、導光板１０の内部に照射された光で表示体２側に向かう光が表示体２に照射されると共に、導光板１０の内部に照射された光であって第１光照射面１２ａに平行かつライトバー５の長手方向に直交する方向（図４矢印Ｘ方向）に向かう光が第２光照射面１２ｂによって表示体２側に屈折されて表示体２に照射される。
【００６１】
よって、図４（ａ）に示すように、ライトバー５の第１光照射面１２ａ及び第２光照射面１２ｂの両方から照射された光が照射幅Ｗ２の幅で表示体２を照射する。よって、第１光照射面１２ａから照射された光が表示体２を照射する照射幅Ｗ１よりも広い幅で表示体２を照射することができる。
【００６２】
即ち、表示体２に発光体８（図２参照）から導光板１０の内部に照射された光を集め、ライトバー５の光の照射範囲６ｃを拡大することができる。
【００６３】
図４（ａ）に示すように、側部６ｄは、隣接するライトバー５から光が照射される照射範囲６ｃの両側（図４（ａ）矢印Ｘ方向両側）から重なり幅Ｗ３の幅の領域である。その側部６ｄは、ライトバー５からの距離が遠いため、照射される光が弱くなり、表示体２の明るさのムラができやすい。
【００６４】
ここで、第１実施の形態では、隣接するライトバー５から光が照射される照射範囲６ｃが重なり幅Ｗ３の幅だけ重なり合っているので、側部６ｄが隣接するライトバー５から照射された光が照射する側部６ｄと重なり合う。よって、側部６ｄを明るくすることができるので、表示体２に明るさのムラを生じにくい。
【００６５】
そのため、各ライトバー５の間隔寸法Ｔ１をあけても表示体２に明るさのムラが生じにくく、使用するライトバー５の数を削減することができる。その結果、ライトバー５の数を削減した分、バックライトユニット１の消費電力の削減を図ることができると共に製品コストの削減を図ることができる。
【００６６】
また、表示体２に明るさのムラが生じにくいので、表示体２へライトバー５をさらに近づけることが可能となり、近づけることで表示体２の明るさが向上される分、使用するライトバー５の発光体８の明るさを低減することができる。その結果、ライトバー５に使用される発光体８の消費電力を減らすことができるので、ライトバー５の電力効率を向上させることができる。
【００６７】
また、各ライトバー５の光の照射範囲６ｃを拡大することができるので、各ライトバー５の間隔寸法Ｔ１をあけても表示体２に明るさのムラが生じにくい。そのため、押さえ板７と第１光照射面１２ａとの間隔寸法Ｔ２を小さくすることができる。その結果、表示体２へライトバー５をさらに近づけることが可能となり、照明ボックス１００を薄型化することができる。
【００６８】
また、表示体２の大きさに応じてそれら複数のライトバー５の配設数または間隔寸法Ｔ１を調整することで、表示体２全体に発光体８（図２（ａ）参照）からの光を照射することができる。
【００６９】
即ち、導光板１０の光反射面１３に凹設されるＶ字溝１３ａ，１３ｂ（図３（ａ）参照）の設計を見直すことなく、さまざまな大きさの表示体２に対応することができる。よって、導光板１０の設計の手間を省いて、バックライトユニット１の製造コストの削減を図ることができる。その結果、バックライトユニット１の製品コストの削減を図ることができる。
【００７０】
次に、図５を参照して、第２実施の形態について説明する。図５（ａ）は、第２実施の形態におけるライトバー２０５の上面図であり、図２におけるライトバー５の上面図に対応している。また、図５（ｂ）は、複数のライトバー５の長手方向（図５（ｂ）Ｙ方向）をそろえて一直線状に連結したライトバー５の集合体の上面図である。なお、図５（ａ）、図５（ｂ）及び図５（ｃ）に示す矢印Ｙ，Ｘ，Ｚは、ライトバー５の長手方向、ライトバー５の長手方向に直交する方向、ライトバー５の前後方向をそれぞれ示している。
【００７１】
第１実施の形態では、ライトバー５がライトバー５の長手方向に直交する方向に配設される場合を説明したが、第２実施の形態では、エンド部２３０ａ，２３０ｂが互いに接続可能に構成されたコネクタ部２３５ａ，２３５ｂを備え、複数のライトバー５がライトバー５の長手方向に配設されている。なお、上記各実施の形態と同一の部分には同一の符号を付して、その説明は省略する。
【００７２】
図５（ａ）に示すように、ライトバー２０５は、一体とされた導光板１０及び基体部２０の長手方向両端部に取着されるエンド部２３０ａ，２３０ｂを備えている。
【００７３】
エンド部２３０ａは、貫通孔３２を挟んで開口部３１と対向する位置に配設され開口部３１から貫通孔３２へ向かう方向（図５（ａ）矢印Ｙ方向上）に凸設されるコネクタ部２３５ａを備えている。
【００７４】
エンド部２３０ｂは、貫通孔３２を挟んで開口部３１と対向する位置に配設され開口部３１から貫通孔３２へ向かう方向（図５（ａ）矢印Ｙ方向下）に凹設されるコネクタ部２３５ｂを備えている。
【００７５】
コネクタ部２３５ａは凸設され，コネクタ部２３５ｂは凹設されている。開口部３１と貫通孔３２とを結ぶ方向（図５（ａ）矢印Ｙ方向）のコネクタ部２３５ａの断面形状が矩形に構成されており、同方向のコネクタ部２３５ｂの断面形状がコネクタ部２３５ａの断面形状に対応した形状とされている。
【００７６】
よって、コネクタ部２３５ａとコネクタ部２３５ｂとが嵌合される。そのため、複数のライトバー２０５を各ライトバー２０５の長手方向（図５（ｂ）矢印Ｙ方向）をそろえて一直線に配設して、ライトバー２０５のコネクタ部２３５ａと他のライトバー２０５のコネクタ部２３５ｂとを直接接続することができる。
【００７７】
これらコネクタ部２３５ａ，２３５ｂには、電力供給線９が接続されることで、電気的につながった状態とされている。よって、例えば、コネクタ部２３５ａに電力が供給されると、その電力は、電力供給線９を介してコネクタ部２３５ｂに送られる。また、逆に、コネクタ部２３５ｂに電力が供給されると、その電力は、電力供給線９を介してコネクタ部２３５ａに送られる。その結果、電気的接続を保ちながらライトバー５の集合体（請求項３に記載のライトバー列に対応する。）をライトバー５の長手方向に延設することができる。
【００７８】
また、ライトバー５を長手方向に延設するために１のライトバー５のコネクタ部２３５ａを、他のライトバー５のコネクタ部２３５ｂに接続することで、複数のライトバー５の電気的な接続を完了させることができる。その結果、照明ボックス１００の施工の手間を省くことができるので、施工コストの削減を図ることができる。
【００７９】
次に、図５（ｃ）を参照して、第３実施の形態について説明する。図５（ｃ）は、各ライトバー３０５の長手方向（図５（ｂ）Ｙ方向）が揃った複数のライトバー３０５を千鳥配列状に連結したライトバー３０５の集合体の上面図である。
【００８０】
第２実施の形態では、各ライトバー２０５の長手方向（図５（ｂ）Ｙ方向）が揃った複数のライトバー２０５を一直線状に連結する場合を説明したが、第３実施の形態では、各ライトバー３０５の長手方向（図５（ｂ）Ｙ方向）が揃った複数のライトバー３０５を千鳥配列状に連結している。なお、上記各実施の形態と同一の部分には同一の符号を付して、その説明は省略する。
【００８１】
図５（ｃ）に示すように、複数のライトバー３０５のエンド部３０は、ライトバー３０５の長手方向に直交する方向（図５（ｃ）矢印Ｙ方向）において、他のライトバー３０５の導光板１０に隣接して配設されている。そのため、複数のライトバー３０５のそれぞれの導光板１０がライトバー３０５の長手方向（図５（ｃ）矢印Ｙ方向）に連続して配設される。
【００８２】
よって、ライトバー３０５の長手方向にライトバー３０５を延設した場合でも、ライトバー３０５の集合体（請求項３に記載のライトバー列に対応する。）を備えた照明ボックスの表示体に明るさのムラが生じにくい。そのため、表示体とライトバー３０５との間隔を小さくすることができる。その結果、表示体へライトバー３０５をさらに近づけることが可能となり、照明ボックスを薄型化することができる。
【００８３】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【００８４】
例えば、上記各実施の形態で挙げた数値（例えば、各構成の数量や寸法など）は一例を示すものであり、他の数値を採用することは当然可能である。
【００８５】
上記第２実施の形態では、複数のライトバー２０５を各ライトバー２０５の長手方向（図５（ｂ）矢印Ｙ方向）をそろえて一直線に配設する場合を説明したが、必ずしもこれに限られるものではなく、複数のライトバー２０５を各ライトバー２０５の長手方向（図５（ｂ）矢印Ｙ方向）をそろえて一直線に配設したライトバー２０５の集合体を複数本用意し、各ライトバー２０５の長手方向に直交する方向（図５（ｂ）矢印Ｘ方向）に配設しても良い。この場合、表示体２の大きさをライトバー２０５の長手方向およびその長手方向に直交する方向の両方向に拡大させることができる。
【００８６】
上記各実施の形態では、導光板１０の一対の側面１１にそれぞれ１個ずつの発光体８を配設する場合を説明したが、必ずしもこれに限られるものではなく、少なくとも一方の側面１１に複数の発光体８配設しても良い。
【００８７】
この場合、光を導光板１０の中に分散させることができるので、導光板１０の内部で光のムラが生じにくい。よって、導光板１０の光反射面１３に凹設されるＶ字溝１３ａ，１３ｂの設計を容易とすることができる。
【００８８】
また、上記各実施の形態では、導光板１０の一対の側面１１が台形形状に形成される場合を説明したが、光照射面１２側に向かって先細りとなる形状に構成されていれば良く、例えば、台形形状に代えて三角形形状に形成しても良い。
【００８９】
この場合、表示体２に対して照射される光線の大半が表示体２に対して所定の角度を成して照射されるので照射範囲６ｃを広く確保することができる。よって、ライトバー５の電力効率を向上させると共に表示体２の明るさのムラを生じにくくすることができる。
【００９０】
そのため、表示体２へライトバー５をさらに近づけることが可能となり、近づけることで表示体２の明るさが向上される分、使用するライトバー５の発光体８の明るさを低減することができる。その結果、ライトバー５に使用される発光体８の消費電力を減らすことができるので、ライトバー５の電力効率を向上させることができる。
【００９１】
また、上記各実施の形態では、枠体３の底面３ａ状に配設されるすべてのライトバー５の第１光照射面１２ａが表示体２に平行に配設され、一対の第２光照射面１２ｂが第１光照射面１２ａに対して所定の角度を成して連成される場合を説明したが、必ずしもこれに限られるものではなく、枠体３の底面３ａ状に配設される複数のライトバー５の内の両側に配設されるライトバー５の第１光照射面１２ａ及び第２光照射面１２ｂの表示体２に対する配設角度を表示体２の中心に近づくにつれて表示体２から離間する配設角度に設定しても良い。
【００９２】
この場合、第１光照射面１２ａ及び第２光照射面１２ｂから照射される光が表示体２の外側に照射されることを低減することができるので、光が不要な部分への光の照射を防ぐことができる。よって、バックライトユニット１の電力効率を向上させることができる。
【図面の簡単な説明】
【００９３】
【図１】本発明の第１実施の形態におけるバックライトユニットが組み込まれた照明ボックスの分解斜視図である。
【図２】（ａ）は、ライトバーの上面図であり、（ｂ）は、ライトバーの側面図であり、（ｃ）は、図２（ａ）のＩＩｃ−ＩＩｃ線におけるライトバーの断面図である。
【図３】（ａ）は、導光板の斜視図であり、（ｂ）は、基体部の斜視図であり、（ｃ）は、エンド部の斜視図である。
【図４】（ａ）は、照明ボックスの正面図であり、（ｂ）は、図４（ａ）のＩＶ−ＩＶ線における照明ボックスの部分断面図である。
【図５】（ａ）は、第２実施の形態におけるライトバーの上面図であり、（ｂ）は、複数のライトバーの長手方向をそろえて一直線状に連結したライトバーの集合体の上面図である。（ｃ）は、各ライトバーの長手方向が揃った複数のライトバーを千鳥配列状に連結したライトバーの集合体の上面図である。
【符号の説明】
【００９４】
１００                       照明ボックス
１                            バックライトユニット
２                            表示体
３                            枠体
５，２０５，３０５            ライトバー
６                            表示板
６ｃ                          照射範囲
８                            発光体（発光体、第１発光体、第２発光体）
９                            電力供給線
１０                          導光板
１１                          側面（側面，導光板の一部）
１２                          光照射面
１２ａ                       第１光照射面（光照射面の一部）
１２ｂ                       第２光照射面（光照射面の一部）
１３                          光反射面
１３ａ                        Ｖ字溝（導光板の一部）
１３ｂ                       Ｖ字溝（導光板の一部）
１４                          反射部材（導光板の一部）
３０，２３０ａ，２３０ｂ      エンド部
２３５ａ，２３５ｂ            コネクタ部（コネクタ）
【図１】
2009187838.tif 000003
【図２】
2009187838.tif 000004
【図３】
2009187838.tif 000005
【図４】
2009187838.tif 000006
【図５】
2009187838.tif 000007